(57)【要約】【課題】回路基板と放熱部材との間の絶縁性及び放熱性を確保しつつ、リワークを容易に行うことが可能な回路構成体を提供する。【解決手段】回路構成体１０は、発熱部品１１と、導電路２１Ａ，２１Ｂを有し、発熱部品１１が実装される回路基板２０と、回路基板２０に対向して配される放熱部材３０と、回路基板２０と放熱部材３０との間における発熱部品１１が重なる領域に配される絶縁フィルム４０と、回路基板２０と絶縁フィルム４０との間に配されて回路基板２０及び絶縁フィルム４０に密着する粘着性又は接着性を有する第１伝熱部４１と、絶縁フィルム４０と放熱部材３０との間に配されて回路基板２０及び絶縁フィルム４０に密着する粘着性又は接着性を有する第２伝熱部４２と、回路基板２０と放熱部材３０とを固定するネジ４５と、を備え、回路基板２０と放熱部材３０との間における絶縁フィルム４０が配されない領域には空気層ＡＬが形成されている。【選択図】図２
2019079903.tif 000002
【特許請求の範囲】
【請求項１】
発熱部品と、
導電路を有し、前記発熱部品が実装される回路基板と、
前記回路基板に対向して配される放熱部材と、
前記回路基板と前記放熱部材との間における前記発熱部品が重なる領域に配される絶縁フィルムと、
前記回路基板と前記絶縁フィルムとの間に配されて前記回路基板及び前記絶縁フィルムに密着する粘着性又は接着性を有する第１伝熱部と、
前記絶縁フィルムと前記放熱部材との間に配されて前記絶縁フィルム及び前記放熱部材に密着する粘着性又は接着性を有する第２伝熱部と、
前記回路基板と前記放熱部材とを固定する固定手段と、を備え、
前記回路基板と前記放熱部材との間における前記絶縁フィルムが配されない領域には空気層が形成されている、回路構成体。
【請求項２】
前記発熱部品は、低発熱部品と、前記低発熱部品よりも発熱の大きい高発熱部品とを有し、
前記高発熱部品が重なる領域に前記絶縁フィルムが配され、前記低発熱部品が重なる領域に前記空気層が配される請求項１に記載の回路構成体。
【請求項３】
前記放熱部材における前記回路基板側の面の前記絶縁フィルムが配されない領域には凹部が形成されている請求項１又は請求項２に記載の回路構成体。
【請求項４】
前記第１伝熱部及び前記第２伝熱部の少なくとも一方は、放熱グリスからなる請求項１から請求項３のいずれか一項に記載の回路構成体。
【請求項５】
前記絶縁フィルムは、前記第１伝熱部及び前記第２伝熱部に接触する接触部と、前記第１伝熱部及び前記第２伝熱部の外側に延出された延出部とを有する請求項１から請求項４のいずれか一項に記載の回路構成体。
【請求項６】
導電路を有する回路基板における発熱部品が重なる領域に粘着性又は接着性を有する第１伝熱部を塗布する第１塗布工程と、
前記回路基板に対向して配される放熱部材に粘着性又は接着性を有する第２伝熱部を塗布する第２塗布工程と、
前記第１伝熱部又は前記第２伝熱部に絶縁フィルムを貼り付ける貼付工程と、
前記回路基板と前記放熱部材とを重ねて前記回路基板、前記絶縁フィルム及び前記放熱部材を積層し、前記回路基板と前記放熱部材との間における少なくとも前記絶縁フィルムが配されない領域に空気層を形成する積層工程と、
前記回路基板と前記放熱部材とを固定手段により固定する固定工程と、を備える回路構成体の製造方法。
【発明の詳細な説明】
【技術分野】
【０００１】
本明細書では、回路構成体に関する技術を開示する。
【背景技術】
【０００２】
従来、回路基板と放熱部材とが絶縁層を介して重ねられた技術が知られている。特許文献１の配線基板は、ポリイミド層の一方の面に接着層を介して電気接続用配線及び熱拡散用配線を形成し、ポリイミド層の他方の面に接着層を介して放熱板が重ねられている。ポリイミド層と一方の接着層と  に形成された貫通孔には、熱拡散用配線に接続された貫通配線が形成されている。電気接続用配線及び熱拡散用配線は、選択的に露出した状態で絶縁層により覆われている。これにより、電気接続用配線と放熱板との間は、接着層及びポリイミド層により絶縁性及び熱伝導性を有している。
【先行技術文献】
【特許文献】
【０００３】
【特許文献１】特開２０１５−１５６４６３号公報
【発明の概要】
【発明が解決しようとする課題】
【０００４】
ところで、特許文献１の構成では、電気接続用配線及び熱拡散用配線の全体の領域、及び、放熱板の全体の領域に対して接着層により接着されているため、接着層から部品を剥がして部品交換等を行う作業（リワーク）が容易ではないという問題があった。
【０００５】
本明細書に記載された技術は、上記のような事情に基づいて完成されたものであって、
回路基板と放熱部材との間の絶縁性及び放熱性を確保しつつ、リワークを容易に行うことが可能な回路構成体を提供することを目的とする。
【課題を解決するための手段】
【０００６】
本明細書に記載された回路構成体は、発熱部品と、導電路を有し、前記発熱部品が実装される回路基板と、前記回路基板に対向して配される放熱部材と、前記回路基板と前記放熱部材との間における前記発熱部品が重なる領域に配される絶縁フィルムと、前記回路基板と前記絶縁フィルムとの間に配されて前記回路基板及び前記絶縁フィルムに密着する粘着性又は接着性を有する第１伝熱部と、前記絶縁フィルムと前記放熱部材との間に配されて前記絶縁フィルム及び前記放熱部材に密着する粘着性又は接着性を有する第２伝熱部と、前記回路基板と前記放熱部材とを固定する固定手段と、を備え、前記回路基板と前記放熱部材との間における前記絶縁フィルムが配されない領域には空気層が形成されている。
【０００７】
本明細書に記載された回路構成体の製造方法は、導電路を有する回路基板における発熱部品が重なる領域に粘着性又は接着性を有する第１伝熱部を塗布する第１塗布工程と、前記回路基板に対向して配される放熱部材に粘着性又は接着性を有する第２伝熱部を塗布する第２塗布工程と、前記第１伝熱部又は前記第２伝熱部に絶縁フィルムを貼り付ける貼付工程と、前記回路基板と前記放熱部材とを重ねて前記回路基板、前記絶縁フィルム及び前記放熱部材を積層し、前記回路基板と前記放熱部材との間における少なくとも前記絶縁フィルムが配されない領域に空気層を形成する積層工程と、前記回路基板と前記放熱部材とを固定手段により固定する固定工程と、を備える。
【０００８】
上記構成によれば、発熱部品の熱は、回路基板、第１伝熱部、絶縁フィルム、第２伝熱部を介して放熱部材から放熱することができる。また、回路基板と放熱部材との間は、絶縁フィルムが配される領域と空気層が配される領域とにより、回路基板と放熱部材との間の絶縁性を確保することができる。更に、回路基板と放熱部材との間に空気層を形成することにより、伝熱部の領域を少なくすることが可能になるため、リワークを容易に行うことが可能となる。ここで、回路基板と放熱部材との間に空気層を形成することによる固着力の低下については、固定手段により回路基板と放熱部材との間を確実に固定することができる。これにより、回路基板と放熱部材との間の絶縁性及び放熱性を確保しつつ、リワークを容易に行うことが可能となる。また、回路基板と放熱部材との間に空気層を形成することにより、第１伝熱部や第２伝熱部の伝熱材の使用量を減らすことが可能になるため、製造コストを低減することができる。
【０００９】
本明細書に記載された技術の実施態様としては以下の態様が好ましい。
前記発熱部品は、低発熱部品と、前記低発熱部品よりも発熱の大きい高発熱部品とを有し、前記高発熱部品が重なる領域に前記絶縁フィルムが配され、前記低発熱部品が重なる領域に前記空気層が配される。
このようにすれば、簡素な構成で回路基板と放熱部材との間の絶縁性を確保することができる。
【００１０】
前記放熱部材における前記回路基板側の面の前記絶縁フィルムが配されない領域には凹部が形成されている。
このようにすれば、放熱部材の凹部により、回路基板と放熱部材との間の空気層の厚み寸法を大きくすることができるため、絶縁性を高めることができる。
【００１１】
前記第１伝熱部及び前記第２伝熱部の少なくとも一方は、放熱グリスからなる。
このようにすれば、第１伝熱部及び第２伝熱部に接着剤を用いる場合と比較して、回路基板や放熱部材等の取り外し作業を容易に行うことができる。
【００１２】
前記絶縁フィルムは、前記第１伝熱部及び前記第２伝熱部に接触する接触部と、前記第１伝熱部及び前記第２伝熱部の外側に延出された延出部とを有する。
このようにすれば、絶縁フィルムの延出部により、回路基板と放熱部材との間の絶縁性を高めることができる。
【発明の効果】
【００１３】
本明細書に記載された技術によれば、回路基板と放熱部材との間の絶縁性及び放熱性を確保しつつ、リワークを容易に行うことが可能となる。
【図面の簡単な説明】
【００１４】
【図１】実施形態の回路構成体を示す平面図
【図２】図１のＡ−Ａ断面図
【図３】回路基板の裏面図
【図４】放熱部材を示す平面図
【図５】回路基板の裏面に伝熱材を塗布した状態を示す図
【図６】放熱部材の上面に伝熱材を塗布して絶縁フィルムを重ねた状態を示す図
【発明を実施するための形態】
【００１５】
＜実施形態＞
実施形態の回路構成体１０は、例えば、電気自動車やハイブリッド自動車等の車両に搭載され、例えばバッテリ等の電源からモータ等の負荷に至る電力供給経路に配される。この回路構成体１０は任意の向きで車両等に搭載することができるが、以下では、説明上、図１，図２のＸ方向を前方、Ｙ方向を左方、Ｚ方向を上方として説明する。
【００１６】
回路構成体１０は、図２に示すように、発熱部品１１と、発熱部品１１が実装される回路基板２０と、回路基板２０に対して間隔を空けて対向して配される放熱部材３０と、回路基板２０と放熱部材３０との間に配される絶縁フィルム４０と、絶縁フィルム４０の両面のそれぞれに重ねられた伝熱部４１，４２と、回路基板２０と放熱部材３０とを固定するネジ４５（「固定手段」の一例）とを備える。
【００１７】
発熱部品１１は、通電により発熱する電子部品からなり、図３に示すように、低発熱部品１１Ａと、低発熱部品１１Ａよりも発熱の大きい高発熱部品１１Ｂとからなる。低発熱部品１１Ａは、コンデンサ等とすることができる。高発熱部品１１Ｂは、本実施形態では、表面実装型のＦＥＴ(Field effect transistor)とされている。高発熱部品１１Ｂは、箱型のパッケージを有する本体１２と複数のリード端子１３とを備える。複数のリード端子１３は、例えば本体１２の底面と側面とに設けられている。
【００１８】
回路基板２０は、略長方形の板状をなし、絶縁性材料からなる絶縁板の上下の両面に銅箔等の導電性材料からなる導電路２１Ａ，２１Ｂがプリント配線技術により形成されている。導電路２１Ａ，２１Ｂは、絶縁板を貫通するスルーホール（図示しない）を介して電気的に接続されている。絶縁基板の周縁部側には、ネジ４５の軸部を挿通可能な複数の挿通孔２２が貫通形成されている。
【００１９】
放熱部材３０は、熱伝導性の高いアルミニウム、アルミニウム合金等の熱伝導性が高い金属類製であって、図２に示すように、下面側には、櫛刃状に並んで配された複数の放熱フィン３５を有する。放熱部材３０の上面には、図２，図４に示すように、上面が平坦で厚み寸法が大きい平坦部３１と、平坦部３１に対して窪んだ面を有する凹部３２とが形成されている。平坦部３１は、回路基板２０に実装された高発熱部品１１Ｂが重なるＬ字状の領域に設けられ、凹部３２は、回路基板２０に実装された低発熱部品１１Ａが重なる領域に設けられている。放熱部材３０の上面には、回路基板２０が載置される台座となるボス部３３が上方に突出している。ボス部３３は、放熱部材３０の上面における周縁部寄りに設けられており、回路基板２０の外周縁部が載置されて回路基板２０を支持することにより、回路基板２０の下面と放熱部材３０の上面４との間の所定の間隔を保持する。ボス部３３には、上方からネジ留め可能なネジ孔３４が形成されている。
【００２０】
絶縁フィルム４０は、可撓性をする厚みの薄い部材であって、例えば、ポリイミド系絶縁樹脂フィルムとすることができる。絶縁フィルム４０は、回路基板２０に実装された高発熱部品１１Ｂが重なる領域（投影領域）に配され、伝熱部４１，４２の双方に接触する接触部４０Ａと、伝熱部４１，４２の外方に延出されて伝熱部４１，４２に接触しない延出部４０Ｂとを有し、本実施形態では、Ｌ字形の領域を覆う形状とされている。ここで、回路基板２０と放熱部材３０との間のうち、絶縁フィルム４０が配されない領域には、図２に示すように、空気層ＡＬが形成されている。空気層ＡＬは、回路基板２０と放熱部材３０との間のうち、絶縁フィルム４０が配されない領域の全域（絶縁フィルム４０の端縁からボス部３３に至る領域）に設けられている。回路基板２０の裏面に実装された高さ寸法の大きい低発熱部品１１Ａは、放熱部材３０の凹部３２上の空気層ＡＬのスペースに配されている。
【００２１】
伝熱部４１，４２は、熱伝導性が高い伝熱材からなり、例えばシリコーングリスなどの放熱グリスや、放熱グリスに添加物を付加して粘着性を強くした粘着放熱グリスや、エポキシ系の接着剤等の絶縁性を有する粘着剤や接着剤を用いることができる。伝熱材は、常温で硬化するものでも加熱により硬化するものでもよい。伝熱部４１，４２は、図３，図４に示すように、回路基板２０に実装された高発熱部品１１Ｂが重なる領域に配されており、第１伝熱部４１は、回路基板２０の下面と絶縁フィルム４０の上面とに密着し、第２伝熱部４２は、絶縁フィルム４０の下面と放熱部材３０の上面とに密着する。
【００２２】
ネジ４５は、図２に示すように、頭部と軸部とを有し、回路基板２０と放熱部材３０とを締結して固定する。これにより、回路基板２０と放熱部材３０との間の全体の領域に伝熱部４１，４２を配する構成と比較して空気層ＡＬを配することで回路基板２０と放熱部材３０との間の伝熱部４１，４２による固着力が低下したとしてもネジ４５により回路基板２０と放熱部材３０との間を確実に固定することができる。
【００２３】
電気接続箱の製造工程について説明する。
回路基板２０に対してリフロー半田付け等により発熱部品１１を実装する。次に、図５に示すように、回路基板２０の裏面における発熱部品１１が配される領域を通るように放熱グリス等の伝熱材４１Ａを塗布する（第１塗布工程）。また、図６に示すように、放熱部材３０の上面における発熱部品１１が配される領域を通るように放熱グリス等の伝熱材４２Ａを塗布する（第２塗布工程）。
【００２４】
次に、放熱部材３０の上面における伝熱材４２Ａが塗布された領域に絶縁フィルム４０を重ねて貼り付ける（貼付工程）。なお、絶縁フィルム４０は、回路基板２０の裏面における伝熱材４１Ａが塗布された領域に貼り付けてもよい。
【００２５】
そして、回路基板２０と放熱部材３０とを対向させて、回路基板２０、第１伝熱部４１、絶縁フィルム４０、第２伝熱部４２及び放熱部材３０が積層された状態とする（積層工程）。次に、回路基板２０と放熱部材３０とをネジ４５でネジ留めして固定する（図２参照。固定工程）。これにより、伝熱材４１Ａ，４２Ａが押し潰されて高発熱部品１１Ｂが重なる領域の全体を含む領域に広がった伝熱部４１，４２となり、回路構成体１０が形成される。回路構成体１０にカバーＣを被せてネジ等でカバーＣを回路構成体１０に固定すると電気接続箱が形成され、電気接続箱の状態で車両に搭載される。
【００２６】
上記実施形態によれば以下の作用、効果を奏する。
回路構成体１０は、発熱部品１１と、導電路２１Ａ，２１Ｂを有し、発熱部品１１が実装される回路基板２０と、回路基板２０に対向して配される放熱部材３０と、回路基板２０と放熱部材３０との間における発熱部品１１が重なる領域に配される絶縁フィルム４０と、回路基板２０と絶縁フィルム４０との間に配されて回路基板２０及び絶縁フィルム４０に密着する粘着性又は接着性を有する第１伝熱部４１と、絶縁フィルム４０と放熱部材３０との間に配されて絶縁フィルム４０及び放熱部材３０に密着する粘着性又は接着性を有する第２伝熱部４２と、回路基板２０と放熱部材３０とを固定するネジ４５（固定手段）と、を備え、回路基板２０と放熱部材３０との間における絶縁フィルム４０が配されない領域には空気層ＡＬが形成されている。
【００２７】
例えば、回路基板２０と放熱部材３０との間の絶縁放熱材料について、組付け時に固形のテープ、シートのみを用いる場合には、部品ばらつきにより、回路基板２０と放熱部材３０との間のクリアランスが変動し、回路基板２０の半田付けした箇所にストレスが掛かることが懸念される。一方、組付け時に液状の接着剤、放熱グリスのみを用いる場合には、部品ばらつきを吸収でき、回路基板２０へのストレスが低減できるとともに、回路基板２０への密着性を有するため、熱抵抗が低減して放熱性が向上するという利点があるが、ボイドや異物かみ込み、ばらつきによるクリアランス不足により絶縁性が担保されないことが懸念される。
これに対して、本実施形態によれば、発熱部品１１の熱は、回路基板２０、第１伝熱部４１、絶縁フィルム４０、第２伝熱部４２を介して放熱部材３０から放熱することができるとともに、組付時に液状の伝熱部４１，４２と組付時に固形の絶縁フィルム４０との双方を用いることが可能になるため、絶縁性を確保しつつ、回路基板２０へのストレスを低減することができる。
【００２８】
また、回路基板２０と放熱部材３０との間は、絶縁フィルム４０が配される領域と空気層ＡＬが配される領域とにより、回路基板２０と放熱部材３０との間の絶縁性を確保することができる。更に、回路基板２０と放熱部材３０との間に空気層ＡＬを形成することにより、伝熱部４１，４２の領域を少なくできるため、リワークを容易に行うことが可能となる。ここで、回路基板２０と放熱部材３０との間に空気層ＡＬを形成することによる固着力の低下については、ネジ４５により回路基板２０と放熱部材３０との間を確実に固定することができる。これにより、回路基板２０と放熱部材３０との間の絶縁性及び放熱性を確保しつつ、リワークを容易に行うことが可能となる。また、回路基板２０と放熱部材３０との間に空気層ＡＬを形成することにより、伝熱材の使用量を減らすことが容易になるため、製造コストを低減することができる。
【００２９】
また、発熱部品１１は、低発熱部品１１Ａと、低発熱部品１１Ａよりも発熱の大きい高発熱部品１１Ｂとを有し、高発熱部品１１Ｂが重なる領域に絶縁フィルム４０が配され、低発熱部品１１Ａが重なる領域に空気層ＡＬが配される。
このようにすれば、簡素な構成で回路基板２０と放熱部材３０との間の絶縁性を確保することができる。
【００３０】
また、放熱部材３０における回路基板２０側の面の絶縁フィルム４０が配されない領域には凹部３２が形成されている。
このようにすれば、放熱部材３０の凹部３２により、回路基板２０と放熱部材３０との間の空気層ＡＬの厚み寸法を大きくすることができるため、絶縁性を高めることができる。
【００３１】
また、第１伝熱部４１及び第２伝熱部４２の少なくとも一方は、放熱グリスからなる。
このようにすれば、第１伝熱部４１及び第２伝熱部４２に接着剤を用いる場合と比較して、回路基板２０や放熱部材３０等の取り外し作業を容易に行うことができる。
【００３２】
また、絶縁フィルム４０は、第１伝熱部４１及び第２伝熱部４２に接触する接触部４０Ａと、第１伝熱部４１及び第２伝熱部４２の外側に延出された延出部４０Ｂとを有する。
このようにすれば、絶縁フィルム４０の延出部４０Ｂにより、回路基板２０と放熱部材３０との間の絶縁性を高めることができる。
【００３３】
＜他の実施形態＞
本明細書に記載された技術は上記記述及び図面によって説明した実施形態に限定されるものではなく、例えば次のような実施形態も本明細書に記載された技術の技術的範囲に含まれる。
（１）絶縁フィルム４０は、添加物が含まれていてもよく、例えば、伝熱フィラー入りのポリイミド系絶縁樹脂フィルムを用いて伝熱性を高めるようにしてもよい。
【００３４】
（２）高発熱部品１１Ｂは、ＦＥＴとしたが、これに限られない。例えば、機械式リレー、抵抗、コイル等としてもよい。また、低発熱部品１１Ａは、コンデンサに限られず、他の電子部品としてもよい。
【００３５】
（３）回路基板２０は、絶縁基板の両面に導電路２１Ａ，２１Ｂが形成される構成としたが、片面に導電路が形成される構成としてもよく、複数の導電路が積層された多層基板を用いてもよい。また、回路基板は、導電路が形成された絶縁基板にバスバ―が積層される構成としてもよい。このバスバ―は、例えば銅又は銅合金等の金属板材をプレス機により導電路の形状に打ち抜いて形成され、同一平面上の異なる領域に互いに隙間を空けて配置されるようにすることができる。
【００３６】
（４）回路基板２０と放熱部材３０との間は、固定手段としてのネジ４５で固定する構成としたが、これに限られない。例えば、固定手段としての係止爪により互いに係止したり、クリップ等の弾性力で）回路基板２０と放熱部材３０とを挟持する構成としてもよい。
【００３７】
（５）伝熱部４１，４２は、絶縁性を有する伝熱材に限られない。
（６）発熱部品１１は、回路基板２０と放熱部材３０とを組み付ける前に回路基板２０に実装することとしたが、これに限られず、回路基板２０と放熱部材３０とを組み付けた後に発熱部品１１を回路基板２０に実装するようにしてもよい。
【符号の説明】
【００３８】
１０：  回路構成体
１１Ａ（１１）：  低発熱部品
１１Ｂ（１１）：  高発熱部品
２０：  回路基板
２１Ａ，２１Ｂ：  導電路
２２：  挿通孔
３０：  放熱部材
３１：  平坦部
３２：  凹部
３３：  ボス部
４０：  絶縁フィルム
４０Ａ：  接触部
４０Ｂ：  延出部
４１：  第１伝熱部
４２：  第２伝熱部
４５：  ネジ（固定手段）
ＡＬ：  空気層
【図１】
2019079903.tif 000003
【図２】
2019079903.tif 000004
【図３】
2019079903.tif 000005
【図４】
2019079903.tif 000006
【図５】
2019079903.tif 000007
【図６】
2019079903.tif 000008